(57)【要約】【課題】温度変化による屋根パネルの膨張、及び収縮に対応することができ、しかも、融雪屋根パネルと固定具の間に水が溜まらないような構造になっている融雪屋根パネル用固定具を提供すること。【解決手段】屋根パネル側に設置するパネル側用固定具２０と、パイプ側に設置するパイプ側用固定具３０とからなる一組の融雪屋根パネル用固定具１０であって、パネル側用固定具２０は、パイプ側固定具２０を受け入れるための開放部４０と、受け入れたパイプ側固定具２０がスライドできるスライド部５０を備えており、パイプ側用固定具３０は、スライド部５０にスライドさせつつ挿入できることを特徴とする融雪屋根パネル用固定具１０とした。【選択図】  図１
2016075038.tif 000002
【特許請求の範囲】
【請求項１】
屋根パネル側に設置する屋根パネル側用固定具と、パイプ側に設置するパイプ側用固定具とからなる一組の融雪屋根パネル用固定具であって、
前記屋根パネル側用固定具は、パイプ側固定具を受け入れるための開放部と、受け入れた前記パイプ側固定具がスライドできるスライド部を備えており、
前記パイプ側用固定具は、前記スライド部にスライドさせつつ挿入できることを特徴とする融雪屋根パネル用固定具。
【請求項２】
前記パネル側用固定具の開放部は、屋根パネルを設置した際、下側に来るように融雪屋根パネルに設置することを特徴とする請求項１に記載の融雪屋根パネル用固定具。
【請求項３】
前記開放部はＣ面加工されていることを特徴とする請求項１または請求項２に記載の融雪屋根パネル用固定具。
【発明の詳細な説明】
【技術分野】
【０００１】
本発明は、融雪屋根パネルを建造物等に設置する際に使用する、融雪屋根パネル用固定具に関する。さらに言えば、温度変化による融雪屋根パネル自体の膨張、及び収縮に対応することができ、融雪屋根パネルと固定具の間に水が溜まらないような構造になっている融雪屋根パネル用固定具に関する。
【背景技術】
【０００２】
雪国では、屋根に降り積もった雪の雪下ろし作業に多くの労働力（危険を伴う作業でもある）と手間が掛かるという問題があった。出願人らは、屋根内部に水蒸気を通過させることで、水蒸気の熱が屋根自体に伝導することにより、屋根に降り積もった雪を解かすことができる融雪機能付き屋根パネルを開発した。即ち、蒸気ボイラーで発生した水蒸気を、往き配管により融雪機能付き屋根パネルへ送り、戻り配管をへて、受水槽に戻す。これらの一連のサイクルを繰り返す事により、屋根上の雪を融雪するものである。
【０００３】
融雪屋根パネル自体は、融雪時には、高温水蒸気を通過させるため、温度が１６０℃にもなる一方で、融雪をしていない時、周りの環境によっては、氷点下２０℃程度になることもある。さらに、夏場の温度上昇による熱膨張も考えられる。即ち、温度差が激しく、この温度差により金属製の屋根パネル自体が熱膨張と収縮を繰り返すことが考えられる。従って、屋根パネルを建造物に設置する際に、温度変化による融雪屋根パネル自体の熱膨張、及び収縮を考慮した固定具にする必要があった。そして、融雪作業後、融雪パネルと固定具の間に水が滞留すると、外気温度が氷点下に達した場合に凍結してしまい、融雪屋根パネル固定具が凍結により破損することが考えられる。
【先行技術文献】
【特許文献】
【０００４】
【特許文献１】特開２０１２−２５５２６７号
【発明の概要】
【発明が解決しようとする課題】
【０００５】
特許文献１には、「間隔をあけて複数配置され、太陽光パネルを載置して固定するための下地フレームの設置方法において、設置面に一方の下地フレームを固定する第一下地フレーム固定工程と、前記一方の下地フレームに、設置される太陽光パネルの寸法に応じて設定された所望の離間寸法を備えた設置治具の一端を当接させつつ、前記設置治具の他端に他方の下地フレームを当接させて位置決めを行う第二下地フレーム位置決め工程と、設置面に前記他方の下地フレームを固定する第二下地フレーム固定工程と、を備えたことを特徴とする太陽光パネルの下地フレームの設置方法（特許文献１：請求項１）」が開示されている。
【０００６】
特許文献１において、所望の離間寸法は、太陽光パネルの寸法と、太陽光パネルの熱膨張による変化寸法を加えた長さとなる。即ち、太陽光パネルの寸法に応じて予め設定された所望の離間寸法（予想される熱膨張の最大値）を備えた設置治具を一方の下地フレームにスペーサとして当接させて、他方の下地フレームの位置を決定するだけであり、熱膨張の度合いに対応することができない。場合によっては、必要以上の空間が生じてしまい好ましくないことが起こり得る。
【０００７】
本発明の目的は、温度変化による融雪屋根パネルの膨張、及び収縮に対応することができ、しかも、融雪屋根パネルと固定具の間に水が溜まらないような構造になっている融雪屋根パネル用固定具を提供することにある。
【課題を解決するための手段】
【０００８】
上記課題を解決するために、本願請求項１に記載した発明は、屋根パネル側に設置する屋根パネル側用固定具と、パイプ側に設置するパイプ側用固定具とからなる一組の融雪屋根パネル用固定具であって、前記屋根パネル側用固定具は、パイプ側固定具を受け入れるための開放部と、受け入れた前記パイプ側固定具がスライドできるスライド部を備えており、前記パイプ側用固定具は、前記スライド部にスライドさせつつ挿入できることを特徴とする融雪屋根パネル用固定具であることを特徴とするものである。
【０００９】
本願請求項２に記載した発明は、請求項１に係る発明において、前記パネル側用固定具の開放部は、屋根パネルを設置した際、下側に来るように融雪屋根パネルに設置する融雪屋根パネル用固定であることを特徴とするものである。
【００１０】
本願請求項３に記載した発明は、請求項１または請求項２に係る発明において、前記開放部はＣ面加工されている融雪屋根パネル用固定具であることを特徴とするものである。
【発明の効果】
【００１１】
本発明に係る融雪屋根パネル用固定具により、温度変化による屋根パネルの膨張、及び収縮に対応することができ、しかも、融雪屋根パネルと固定具の間に水が溜まらないような構造になっている融雪屋根パネル用固定具を提供することができるようになった。さらに、融雪屋根パネル用固定具（屋根パネル側）開放部はＣ面加工されているため、融雪屋根パネルを設置する際、設置位置をガイドするため、設置作業中に融雪屋根パネル用固定具を破損したりすることが無くなった。
【図面の簡単な説明】
【００１２】
【図１】融雪屋根パネル用固定具の全体斜視図である。
【図２】屋根パネル側用固定具を屋根パネルに取り付けた状態を表す図である。
【図３】パイプ側用固定具をパイプに取り付けた状態を表す図である。
【発明を実施するための形態】
【００１３】
＜融雪屋根パネル用固定具の構造＞
以下、本発明に係る融雪屋根パネル用固定具１０について、図面を参照しつつ詳細に説明する。図１は、融雪屋根パネル用固定具１０の全体斜視図である。図１の上側は、屋根パネル側用固定具２０であり、図１の下側は、パイプ側用固定具３０である。
【００１４】
屋根パネル側用固定具２０は、図１に記載したように、直方体のブロックにＵ字状の切り込みを設けることで開放部４０を形成している。さらに、Ｕ字状の切り込みに段差を設けることにより（図１参照）、スライド部５０を形成している。尚、直方体のブロックにＵ字状の切り込みを設けたのは、円柱形状のパイプ側用固定具３０を受け入れつつ、設置するために適した形状であるからである。
【００１５】
一方、パイプ側用固定具３０は、図１に記載したように、基本的には円柱形状をしている。そして、屋根パネル側用固定具２０のＵ字状の切り込みに設けた段差に対応する形状にしている。即ち、パイプ側用固定具３０を、屋根パネル側用固定具２０に挿入できるように（図１参照）、屋根パネル側用固定具２０の形状に合わせて、括れ部（径が小さい部分）が設けられている。
【００１６】
＜融雪屋根パネル用固定具の使用方法＞
図２は、屋根パネル側用固定具２０を融雪屋根パネルに取り付けた状態を表す図である。本発明に係る融雪屋根パネル用固定具１０の屋根パネル側用固定具２０は、開放部４０が下側を向くように取り付けることがポイントである。即ち、融雪屋根パネルで融雪した際、水が融雪屋根パネルと固定具の間に残留することを避けるため、開放部４０が下に向くように設置することになる。水が融雪屋根パネル内部に残留しないようにすることは、氷点下になるような環境で使用するための必須要件でもある。図３は、パイプ側用固定具３０をパイプに取り付けた状態を表す図である。
【００１７】
実際に屋根パネルを取り付ける際は、まず、パイプ側用固定具３０を設置したパイプを建造物に固定し（図３拡大図参照）、その後、屋根パネル側用固定具２０を取り付けた屋根パネルを設置する。即ち、屋根パネル側用固定具２０を、パイプ側用固定具３０の上側に持って行ってから、屋根パネル用側固定具２０を、屋根パネル側用固定具２０の開放部４０からスライド部５０に沿って移動させつつ、融雪屋根パネルを下側にスライドさせて挿入するようにして設置する。
【００１８】
＜融雪屋根パネル用固定具の効果＞
本発明により、温度変化による屋根パネルの膨張、及び収縮に対応することができ、融雪屋根パネルと固定具の間に水が溜まらないような構造になっている融雪屋根パネル用固定具１０を提供することができるようになった。即ち、温度差が激しく、この温度差により金属製の融雪屋根パネル自体が熱膨張と収縮を繰り返したとしても、屋根パネル側用固定具２０を取り付けた屋根パネルは、屋根パネル側用固定具２０のスライド部５０により、自由に膨張収縮することができるので、熱膨張と収縮に対しても十分に対応することができる。しかも、開放部４０が下を向くように屋根パネル側用固定具２０を設置することで水が屋根パネル内部に残留することを避けることができる。
【００１９】
さらに、開放部４０はＣ面加工されているため、融雪屋根パネルを設置する際、屋根パネル用側固定具２０の設置位置をガイドするため、設置が容易になるのみならず、設置作業中に誤って、融雪屋根パネル用固定具１０（屋根パネル側用固定具２０、パイプ側用固定具３０）を傷つけたり破損したりすることが無くなった。
【００２０】
＜融雪屋根パネル用固定具の変更例＞
本発明に係る融雪屋根パネル用固定具１０の構成は、上記実施形態の態様に何ら限定されるものではなく、屋根パネル側固定具２０、パイプ側固定具３０、開放部４０、スライド部５０、Ｃ面６０等の構成を、本発明の趣旨を逸脱しない範囲で、必要に応じて適宜変更することができる。
【産業上の利用可能性】
【００２１】
本発明に係る融雪屋根パネル用固定具は、上記の如く優れた効果を奏するものであるので、融雪屋根パネルに関する分野で好適に用いることができる。
【符号の説明】
【００２２】
１０・・融雪屋根パネル用固定具
２０・・屋根パネル側用固定具
３０・・パイプ側用固定具
４０・・開放部
５０・・スライド部
６０・・Ｃ面
【図１】
2016075038.tif 000003
【図２】
2016075038.tif 000004
【図３】
2016075038.tif 000005